(57)【特許請求の範囲】
【請求項１】
光を出力する放電灯と、送信信号を生成する信号源と、信号源が生成する送信信号をビットパターンに変調する制御回路と、制御回路が変調するビットパターンに基づいて放電灯の点灯周波数を制御する点灯回路と、放電灯が出力する光を受信して、その点灯周波数に応じて受信信号に復調する受信端末と、を備えた照明光伝送システムであって、ビットパターンにおける１のレベルに対応する点灯周波数又は０のレベルに対応する点灯周波数のうち小さいほうである第一の周波数（ｆ１）と、大きいほうである第二の周波数（ｆ２）と、ｆ１の二分の一である第三の周波数（ｆ３）と、ｆ２の二分の一である第四の周波数（ｆ４）と、受信端末が復調するときに、点灯周波数が、第一の周波数であるか第二の周波数であるかを判断する第一のしきい値である第五の周波数（ｆ５）と、第二のしきい値である第六の周波数（ｆ６）を有し、第五の周波数（ｆ５）と第六の周波数（ｆ６）は、ｆ４＜ｆ５＜ｆ１＜ｆ６＜ｆ２の関係にあり、点灯周波数がｆ５からｆ６の範囲にある場合には、第一の点灯周波数であると判断し、点灯周波数がｆ６より大きい場合には、第二の点灯周波数であると判断する照明光伝送システムであり、受信端末が復調するときに、点灯周波数が、第一の周波数であるか第二の周波数であるかを判断する第三のしきい値である第七の周波数（ｆ７）を有し、第七の周波数（ｆ７）は、ｆ３＜ｆ７＜ｆ４の関係にあり、点灯周波数がｆ７よりも小さい、又はｆ５からｆ６の範囲にある場合には、第一の点灯周波数であると判断し、点灯周波数がｆ６よりも大きい、又はｆ７からｆ５の範囲にある場合には、第二の点灯周波数であると判断することを特徴とする照明光伝送システム。
【発明の詳細な説明】
【技術分野】
【０００１】
本発明は、光を出力する放電灯と、送信信号を生成する信号源と、信号源が生成する送信信号をビットパターンに変調する制御回路と、制御回路が変調するビットパターンに基づいて放電灯の点灯周波数を制御する点灯回路と、放電灯が出力する光を受信して、その点灯周波数に応じて受信信号に復調する受信端末と、を備えた照明光伝送システムに関するものである。
【背景技術】
【０００２】
従来から、光を出力する放電灯と、送信信号を生成する信号源と、信号源が生成する送信信号をビットパターンに変調する制御回路と、制御回路が変調するビットパターンに基づいて放電灯の点灯周波数を制御する点灯回路と、放電灯が出力する光を受信して、その点灯周波数に応じて受信信号に復調する受信端末と、を備えた照明光伝送システムとして特開昭６０−３２４４３号公報（特許文献１）及び特開平６−２０７８５号公報（特許文献２）に記載されている技術が知られている。これは、放電灯の点灯周波数をビットパターンに応じて制御して、受信端末で復調する、ＦＳＫ方式と称される周波数変調方式による伝送技術であり、受信端末は、光の点灯周波数のうち特定のものを検出するので、照明光伝送システムに応用した場合に、外光に由来する周波数成分の影響を受けにくく、これに基づく誤差を少なくすることができるという特徴を有するものである。
【０００３】
図７に、かかる照明光伝送システムの送信に関するタイミングチャートを示す。送信信号の０のレベル及び１のレベルに対応した点灯回路の動作周波数をそれぞれｆ３、ｆ４とすると（ｆ３＜ｆ４）、ランプ電流の周波数もｆ３とｆ４になる。ここでランプ電流は交流電流であり、放電灯は点灯回路の動作周波数一周期あたりに二度点滅するため、放電灯の点灯周波数は点灯回路の動作周波数の二倍になる特徴がある。すなわち、図７において０のレベルに対応する点灯周波数ｆ１はｆ３の二倍、１のレベルに対応する点灯周波数ｆ２はｆ４の二倍となる。
【０００４】
この点灯周波数を復号する方法として、以下の二通りのものが考えられる。
【０００５】
一点目は、図８に示すごとく、オペアンプ回路等で構成するバンドパスフィルタや特表２００２−５１１６９８号公報に記載されているＰＬＬ回路を用いて点灯周波数ｆ１あるいはｆ２、またはｆ１とｆ２両方の周波数のみを通過（あるいは位相ロック）させることで、二値化させるものである。
【０００６】
二点目は、図９に示すごとく、ｆ１とｆ２の間にしきい値である周波数ｆ５を設定して、ｆ５より小さい周波数はｆ１と認識し、ｆ５より大きい周波数はｆ２と認識することで、二値化させるものである。
【０００７】
このうち、照明用の点灯回路では通信を目的に設計されておらず、水晶発振子など周波数精度の良い部品を用いることはコスト面から実用的ではないこと、点灯回路が複数設置される環境では点灯回路毎に動作周波数のばらつきがあり、ＰＬＬ回路を用いた場合は応答性が問題となること、を理由として、図８のようにバンドパスフィルタの中心周波数近傍のみ通過（ＰＬＬ回路では位相ロック）させる受信方式では動作周波数のばらつきを十分にサポートできず、受信不良の可能性があり、図９に示す方式が有利と考えられる。
【特許文献１】特開昭６０−３２４４３号公報
【特許文献２】特開平６−２０７８５号公報
【特許文献３】特表２００２−５１１６９８号公報
【発明の開示】
【発明が解決しようとする課題】
【０００８】
しかしながら、上述の照明光伝送システムにおいて、受信端末が放電灯近傍に設けられる場合もある。この場合、受信不良の発生確率が高くなる状況が見出された。
【０００９】
本願発明は、上記背景技術に鑑みてなされたものであり、その課題は、受信端末が放電灯近傍に設けられる場合であっても、受信不良の発生確率を低くすることができる照明光伝送システムを提供することである。
【課題を解決するための手段】
【００１０】
上記課題を鋭意検討した結果、受信不良は、点灯周波数の略二分の一の周波数で出力される光に基づくものであることを明らかにし、本願発明の完成に至った。
【００１１】
具体的には、ビットパターンにおける１のレベルに対応する第一の点灯周波数と、ビットパターンにおける０のレベルに対応する第二の点灯周波数と、のうち大きいほうの点灯周波数の二分の一のもの（図７におけるｆ２の二分の一のもの）が、小さいほう（図７におけるｆ１）との区別がつかなくなる場合に受信不良を起こすという原因を解明したものである。
【００１２】
この原因としては、ランプフィラメントでは発熱による赤外線成分が可視光成分に重畳していること、点灯回路に備えられる直流成分カット用コンデンサの容量が十分でないこと、点灯回路に備えられるスイッチング素子（通常は２個）のオン比率が均等でないこと、放電灯のフィラメントに塗布しているエミッタの減少が各フィラメントで相違し、放電灯がダイオード特性を示すことでランプ電流に直流成分が重畳すること、さらに調光用点灯回路では調光したときの立ち消えを防止するために直流成分を重畳していること、等が推測される。
【００１３】
このような原因から受信端末は、図７においてｆ１、ｆ２の点灯周波数だけでなく、これらの略二分の一であるｆ３やｆ４の周波数成分を受信するものと考えられる。
【００１４】
以上をふまえ、上記課題を解決するために、請求項１に記載された発明は、光を出力する放電灯と、送信信号を生成する信号源と、信号源が生成する送信信号をビットパターンに変調する制御回路と、制御回路が変調するビットパターンに基づいて放電灯の点灯周波数を制御する点灯回路と、放電灯が出力する光を受信して、その点灯周波数に応じて受信信号に復調する受信端末と、を備えた照明光伝送システムであって、ビットパターンにおける１のレベルに対応する点灯周波数又は０のレベルに対応する点灯周波数のうち小さいほうである第一の周波数（ｆ１）と、大きいほうである第二の周波数（ｆ２）と、ｆ１の二分の一である第三の周波数（ｆ３）と、ｆ２の二分の一である第四の周波数（ｆ４）と、受信端末が復調するときに、点灯周波数が、第一の周波数であるか第二の周波数であるかを判断する第一のしきい値である第五の周波数（ｆ５）と、第二のしきい値である第六の周波数（ｆ６）を有し、第五の周波数（ｆ５）と第六の周波数（ｆ６）は、ｆ４＜ｆ５＜ｆ１＜ｆ６＜ｆ２の関係にあり、点灯周波数がｆ５からｆ６の範囲にある場合には、第一の点灯周波数であると判断し、点灯周波数がｆ６より大きい場合には、第二の点灯周波数であると判断する照明光伝送システムであり、受信端末が復調するときに、点灯周波数が、第一の周波数であるか第二の周波数であるかを判断する第三のしきい値である第七の周波数（ｆ７）を有し、第七の周波数（ｆ７）は、ｆ３＜ｆ７＜ｆ４の関係にあり、点灯周波数がｆ７よりも小さい、又はｆ５からｆ６の範囲にある場合には、第一の点灯周波数であると判断し、点灯周波数がｆ６よりも大きい、又はｆ７からｆ５の範囲にある場合には、第二の点灯周波数であると判断することを特徴とする照明光伝送システム。
【発明の効果】
【００２０】
請求項１に記載された発明によれば、第二の周波数ｆ２の二分の一の周波数であるｆ４を、第一の周波数ｆ１の解釈にあたり排除することとなり、その影響を受けることがなくなるので、受信不良を抑制することができる。また、第一の周波数ｆ１及びその二分の一の周波数であるｆ３のいずれかにより、点灯周波数を解釈することとなり、特に受信端末が放電灯直近にあって、第一の周波数ｆ１及び第二の周波数ｆ２の二分の一の周波数の影響をより受けやすい場合であっても、ｆ１に加えてｆ３をしきい値であるｆ５、ｆ６、ｆ７でもって解釈するため、受信不良を抑制することができる。更に、第二の周波数ｆ２及びその二分の一の周波数であるｆ４のいずれかにより、点灯周波数を解釈することとなり、特に受信端末が放電灯直近にあって、第一の周波数ｆ１及び第二の周波数ｆ２の二分の一の周波数の影響をより受けやすい場合であっても、ｆ２に加えてｆ４をしきい値であるｆ５、ｆ６、ｆ７でもって解釈するため、受信不良を抑制することができる。
【発明を実施するための最良の形態】
【００２６】
本願発明の第一実施形態として、図１及び図２に基づいて、本願の請求項１〜４に対応した照明光伝送システム１について説明する。
【００２７】
本第一実施形態の照明光伝送システム１は、図１及び図２に示す如く、光を出力する放電灯６と、送信信号を生成する信号源３と、信号源３が生成する送信信号をビットパターンに変調する制御回路４と、制御回路４が変調するビットパターンに基づいて放電灯６の点灯周波数を制御する点灯回路５と、放電灯６が出力する光を受信して、その点灯周波数に応じて受信信号に復調する受信端末７と、を備えた照明光伝送システム１であって、ビットパターンにおける１のレベルに対応する点灯周波数又は０のレベルに対応する点灯周波数のうち小さいほうである第一の周波数（ｆ１）と、大きいほうである第二の周波数（ｆ２）と、ｆ１の二分の一である第三の周波数（ｆ３）と、ｆ２の二分の一である第四の周波数（ｆ４）と、受信端末が復調するときに、点灯周波数が、第一の周波数であるか第二の周波数であるかを判断する第一のしきい値である第五の周波数（ｆ５）と、第二のしきい値である第六の周波数（ｆ６）を有し、第五の周波数（ｆ５）と第六の周波数（ｆ６）は、ｆ４＜ｆ５＜ｆ１＜ｆ６＜ｆ２の関係にあり、点灯周波数がｆ５からｆ６の範囲にある場合には、第一の点灯周波数であると判断し、点灯周波数がそれ以外の範囲にある場合には、第二の点灯周波数であると判断する。
【００２８】
また、点灯周波数がｆ６よりも大きい範囲にある場合には、第二の点灯周波数であると判断する。
【００２９】
また、受信端末が復調するときに、点灯周波数が、第一の周波数であるか第二の周波数であるかを判断する第三のしきい値である第七の周波数（ｆ７）を有し、第七の周波数（ｆ７）は、ｆ３＜ｆ７＜ｆ４の関係にあり、点灯周波数がｆ７よりも小さい、又はｆ５からｆ６の範囲にある場合には、第一の点灯周波数であると判断する。
【００３０】
また、受信端末が復調するときに、点灯周波数が、第一の周波数であるか第二の周波数であるかを判断する第三のしきい値である第七の周波数（ｆ７）を有し、第七の周波数（ｆ７）は、ｆ３＜ｆ７＜ｆ４の関係にあり、点灯周波数がｆ６よりも大きい、又はｆ７からｆ５の範囲にある場合には、第二の点灯周波数であると判断する。
【００３１】
以下、本第一実施形態による照明光伝送システム１を、より具体的詳細に説明する。
【００３２】
最初に、放電灯６であるが、汎用のものが採用される。本第一実施形態では蛍光灯が採用されるが、高輝度放電灯、無電極放電灯等であってもよい。
【００３３】
次に、信号源３について説明する。これは送信信号をデジタル値で生成し、送信するもので、例えば放電灯６が取り付けられる照明器具の位置情報（座標データ）をディップスイッチで設定することで１０数ビットのデジタル値とし、これを制御回路４に送信するものが例示される。
【００３４】
なお本第一実施形態では、図８に示すごとく、ビットパターンは符号化技術としては最も簡単で通信効率が良い（通信速度が速い）ＮＺＲ符号を採用し、送信信号における０のレベルに複数の光源２の全点灯周波数ｆ３が、１のレベルに全点灯用周波数ｆ３より高周波である調光点灯周波数ｆ４が、それぞれ対応するものとしている。但し、符号化技術としてＮＺＲ符号に限らない。
【００３５】
またビットパターンは人間の目が複数の光源の明暗の切り替りを認識可能である周波数（ＣＦＦ：ｃｒｉｔｉｃａｌ  ｆｕｓｉｏｎ  ｆｒｅｑｕｅｎｃｙ）より高い周波数で、同一の位置情報を繰り返し絶え間なく送信する。ここでＣＦＦは年齢（高年齢になると光の変化への応答性が悪くなる）や個人差によって異なると言われているが、少なくとも１２０Ｈｚ以上であれば問題ない（このビットパターンに応じて点灯周波数が制御されるが、５０／６０Ｈｚの商用電源に接続された白熱灯や銅鉄安定器で点灯する蛍光灯の光出力波形の周波数は１００／１２０Ｈｚで点灯しており、これと同水準であればチラツキとして感じない）。従って、１２０Ｈｚの逆数である８．３ｍ秒以下で上記位置情報を繰り返し送れば良い。
【００３６】
次に、制御回路４について説明する。制御回路４は送信信号を点灯回路５に備えられるインバータ回路の動作周波数に変換するもので、ビットパターンに従って、全点灯用周波数ｆ３又は調光点灯周波数ｆ４でインバータ回路のスイッチング素子を駆動する回路である。これにより照明器具２はＦＳＫ方式により送信信号をｆ３及びｆ４に対応する２レベルの点灯周波数に変換して光を出力する。
【００３７】
次に点灯回路５について説明する。これは直流電源回路と、インバータ回路と、を有するものである。直流電源回路は、商用電源をダイオードで整流後、コンデンサで平滑して直流に変換される。入力電流歪み改善のため昇圧型チョッパー回路で高周波電流に変換してコンデンサで平滑しても良い。当然電池でも良い。
【００３８】
インバータ回路は従来からあるハーブリッジ式やフルブリッジ式、一石式など複数の光源点灯回路として利用できる方式のものが例示される。また上記チョッパー回路と一部の部品を兼用したチョッパー兼用インバータ回路でも良い。インバータ回路は、発振回路がビットパターンに従って発振する全点灯用周波数ｆ３又は調光点灯周波数ｆ４にて放電灯６に流れるランプ電流波形を制御する。また放電灯６の出す光の点灯周波数ｆ１とｆ２は上述したように基本的にはランプ電流波形の２倍になる。
次に受信端末７について説明する。これは光電変換回路８と、増幅回路９と、３つの復号回路１０１、１０２、１０３と受信データ処理回路１１を有するものである。
【００３９】
光電変換回路８はＰＩＮフォトダイオードが例示され、放電灯６からの光の点灯周波数を電気信号に変換する。なおフォトダイオードだけでなくフォトトランジスタや増幅回路を集積したフォトＩＣでも良い。
【００４０】
増幅回路９は汎用のオペアンプＩＣ等で構成する一般的な差動増幅回路が例示され、光電変換回路が変換する電気信号を増幅する。なお光電変換回路の出力信号が周波数分別回路で処理するのに十分大きい場合は増幅する必要がないため、増幅回路は本発明で必須要件ではない。またオペアンプＩＣで構成する回路だけでなくトランジスタで構成する増幅回路でもよい。
【００４１】
復号回路１０１、１０２、１０３は、例えばバンドパスフィルタ（ＢＰＦ）と比較部で構成するもので、光の点灯周波数に応じて“Ｈｉｇｈ”信号又は“Ｌｏｗ”信号を出力するものである。
【００４２】
バンドパスフィルタは汎用のものでありオペアンプＩＣ等で構成する、増幅回路の出力信号を所定の中心周波数を中心に増幅する。
【００４３】
比較部はコンパレータが例示され、フィルタリングした信号を任意の電圧と比較することによりデジタル信号に変換するものである。すなわち、受光した光の点灯周波数がバンドパスフィルタの中心周波数を中心に所定のしきい値以上であれば“Ｈｉｇｈ” 信号を、しきい値未満では“Ｌｏｗ”信号を出力するものである。
【００４４】
なお、本第一実施形態では、復号回路１０１におけるしきい値はｆ５を、復号回路１０２におけるしきい値はｆ６を、復号回路１０３におけるしきい値はｆ７を、採用するものとする。
【００４５】
本第一実施形態では、点灯周波数がｆ１であるかｆ２であるかを判断する第一のしきい値をｆ５、第二のしきい値をｆ６、第三のしきい値をｆ７、とし、ｆ３＜ｆ７＜ｆ４＜ｆ５＜ｆ１＜ｆ６＜ｆ２となるように設定する。
【００４６】
そのため、受信端末が復調するときに、点灯周波数がｆ５からｆ６の範囲にある場合には、第一の点灯周波数であると判断して、比較回路が“Ｈｉｇｈ” 信号を出力し、（図２における受信周波数範囲１に相当）、点灯周波数がｆ６よりも大きい範囲にある場合には、第二の点灯周波数であると判断して、比較回路が“Ｌｏｗ” 信号を出力し、（（図２における受信周波数範囲２に相当）、点灯周波数がｆ７よりも小さい範囲にある場合には、第一の点灯周波数であると判断して、比較回路が“Ｈｉｇｈ” 信号を出力し、（図２における受信周波数範囲３に相当）、点灯周波数がｆ７からｆ５の範囲にある場合には、第二の点灯周波数であると判断して、比較回路が“Ｌｏｗ” 信号を出力する（図２における受信周波数範囲４に相当）。
【００４７】
ここでｆ６は一般的にはｆ１とｆ２の中央値を選択することになるが必ずしも中央値でなくても良い。同様にｆ５はｆ４とｆ１の間の周波数であれば良いし、ｆ７はｆ３とｆ４の間の周波数であれば良いが、照明器具の点灯周波数のバラツキを考慮して設定する。
【００４８】
また復号回路１０は、採用されるしきい値の数と同じだけあればよく、しきい値が、例えばｆ５、ｆ６でよい場合には、復号回路１０１、１０２を用意すればよく、復号回路１０１におけるしきい値はｆ５を、復号回路１０２におけるしきい値はｆ６を、それぞれ採用すればよい。この場合は、点灯周波数の解釈に当たり、ｆ５より小さい範囲にあるｆ３、ｆ４は排除されることとなる。
【００４９】
受信データ処理回路１１は汎用の演算装置（マイコン等で構成）が例示され、復号回路の出力信号より受信信号として有効な信号を判断するものである。更にこの通信システムを使用するアプリケーションによってＰＤＡ等の各種機器に伝送したり、受信した位置情報などを記憶している地図情報に基づいて画面表示や音声出力する。
【００５０】
従って、本第一実施形態によれば、第一の周波数ｆ１及び第二の周波数ｆ２の二分の一の周波数であるｆ３およびｆ４を、点灯周波数の解釈にあたり排除することとなり、これらの影響を受けることがなくなるので、受信不良を抑制することができる。
【００５１】
また、第一の周波数ｆ１と、第二の周波数ｆ２とを、しきい値である第五の周波数ｆ５でもって解釈することとなり、特に時分割送信を実施している場合、すなわち第一の点灯周波数と第二の点灯周波数と他の周波数（通信を行わない照明用の周波数）を交互に受信する場合でも受信不良が少なくなる。
【００５２】
また、第一の周波数ｆ１及びその二分の一の周波数であるｆ３のいずれかにより、点灯周波数を解釈することとなり、特に受信端末７が放電灯直近にあって、第一の周波数ｆ１及び第二の周波数ｆ２の二分の一の周波数の影響をより受けやすい場合であっても、ｆ１に加えてｆ３をしきい値であるｆ５、ｆ６、ｆ７でもって解釈するため、受信不良を抑制することができる。
【００５３】
また、第二の周波数ｆ２及びその二分の一の周波数であるｆ４のいずれかにより、点灯周波数を解釈することとなり、特に受信端末７が放電灯６直近にあって、第一の周波数ｆ１及び第二の周波数ｆ２の二分の一の周波数の影響をより受けやすい場合であっても、ｆ２に加えてｆ４をしきい値であるｆ５、ｆ６、ｆ７でもって解釈するため、受信不良を抑制することができる。
【００５４】
続いて、本願発明の第二実施形態として、図３及び図４に基づいて、本願の請求項１〜４に対応した照明光伝送システム１について説明する。
【００５５】
本第二実施形態の照明光伝送システム１は、図３及び図４に示す如く、受信端末７がマイコン１２を有しており、点灯周波数の解釈をデジタル処理にて実施する点で、本第一実施形態と相違する。具体的には、受信端末に比較回路１３と、マイコン１２を備え、マイコン１２は、信号周期計時回路１４と、復号回路１０と、受信データ処理回路１１を備えている。
【００５６】
比較回路１３は、本第一実施形態における比較部と同様であり、光電変換回路から出力される電圧信号を増幅回路９で必要な電圧レベルに増幅した後に、所定のしきい値電圧と比較することによってゼロ電圧付近の信号（ゼロクロス信号）を得るものである。
【００５７】
マイコン１２に内蔵される信号周期計時回路１４は、汎用のタイマであり、ゼロクロス信号の立ち上がり信号間の時間（受信信号の周期）カウントするものである。
【００５８】
復号回路１０は、カウントした時間を逆数することにより受信した光の周波数を演算するものである。演算は１ビットの単位時間（例えば９６００ｂｐｓでは１０４μｓ）毎にデジタル値に２値化すれば良い。
【００５９】
図４ではｆ１、ｆ２に対応する点灯周波数を有する光を受信し、これを上記過程で演算し、受信信号を得る手順を示している。ｆ３、ｆ４に対応する点灯周波数を有する光を受信した場合も同様であり、マイコン１２は１個で足りる。
【００６０】
なおマイコンだけでなくＰＬＤ等を用いても良い。
【００６１】
従って、本第二実施形態によれば、デジタル処理により点灯周波数の解釈を精度よく行うことができ、さらには本第一実施形態ではしきい値の数と同じだけ必要であった復号回路１０をしきい値の数よりも減じることができ、全体のコストを抑制することができる。
【００６２】
続いて、本願発明の第三実施形態として、図５及び図６に基づいて、本願の請求項５〜６に対応した照明光伝送システム１について説明する。
【００６３】
本第一実施形態の照明光伝送システム１は、図５及び図６に示す如く、光を出力する放電灯６と、送信信号を生成する信号源３と、信号源３が生成する送信信号をビットパターンに変調する制御回路４と、制御回路４が変調するビットパターンに基づいて放電灯６の点灯周波数を制御する点灯回路５と、放電灯６が出力する光を受信して、その点灯周波数に応じて受信信号に復調する受信端末７と、を備えた照明光伝送システム１であって、ビットパターンにおける１のレベルに対応する点灯周波数又は０のレベルに対応する点灯周波数のうち小さいほうである第一の周波数（ｆ１）と、大きいほうである第二の周波数（ｆ２）と、ｆ１の二分の一である第三の周波数（ｆ３）と、ｆ２の二分の一である第四の周波数（ｆ４）と、受信端末７が復調するときに、点灯周波数が、第一の周波数であるか第二の周波数であるかを判断する第一のしきい値である第五の周波数（ｆ５）を有し、第五の周波数（ｆ５）は、各点灯周波数がｆ１＜ｆ５＜ｆ４の関係にあり、点灯周波数がｆ５よりも小さい場合には、第一の点灯周波数であると判断する。
【００６４】
また、点灯周波数がｆ５よりも大きい範囲にある場合には、第二の点灯周波数であると判断する。
【００６５】
以下、本第三実施形態による照明光伝送システム１を、より具体的詳細に説明するが、本第一実施形態と相違する、ｆ４とｆ５の関係について説明する。
【００６６】
すなわち、本第三実施形態では、点灯周波数がｆ１であるかｆ２であるかを判断する第一のしきい値をｆ５、とし、ｆ３＜ｆ１＜ｆ５＜ｆ４＜ｆ２となるように設定する。つまりｆ５＜ｆ４である点で本第一実施形態と相違する。
【００６７】
そのため、受信端末が復調するときに、点灯周波数がｆ５より小さい範囲にある場合には、第一の点灯周波数であると判断して、比較回路が“Ｈｉｇｈ” 信号を出力し、（図６における受信周波数範囲１に相当）、点灯周波数がｆ５よりも大きい範囲にある場合には、第二の点灯周波数であると判断して、比較回路が“Ｌｏｗ” 信号を出力する（（図６における受信周波数範囲２に相当）
ここでｆ５は一般的にはｆ１とｆ４の中央値を選択することになるが必ずしも中央値でなくても良く、照明器具の点灯周波数のバラツキを考慮して設定する。
【００６８】
従って、本第三実施形態によれば、第一の周波数ｆ１及びその二分の一の周波数であるｆ３を、しきい値である第五の周波数ｆ５でもって区別して解釈することとなり、ｆ１＜ｆ３の場合であっても、これらの誤解釈がなくなり、受信不良を抑制することができる。
【００６９】
また、第一の周波数ｆ１と、第二の周波数ｆ２とを、しきい値である第五の周波数ｆ５でもって解釈することとなり、特に時分割送信を実施している場合、すなわち第一の点灯周波数と第二の点灯周波数と他の周波数（通信を行わない照明用の周波数）を交互に受信する場合でも受信不良が少なくなる。
【図面の簡単な説明】
【００７０】
【図１】本第一実施形態における照明光伝送システムのブロック図
【図２】本第一実施形態における点灯周波数の関係を表す説明図
【図３】本第二実施形態における受信端末のブロック図
【図４】本第二実施形態におけるデジタル処理を表す説明図
【図５】本第三実施形態における照明光伝送システムのブロック図
【図６】本第三実施形態における点灯周波数の関係を表す説明図
【図７】従来例における送信信号と点灯周波数の関係を表す説明図
【図８】従来例における点灯周波数の関係を表す説明図
【図９】従来例における点灯周波数の関係を表す説明図
【符号の説明】
【００７１】
１      照明光伝送システム
３      信号源
４      制御回路
５      点灯回路
６      放電灯
７      受信端末
【図１】
0004736886.tif 000002
【図２】
0004736886.tif 000003
【図３】
0004736886.tif 000004
【図４】
0004736886.tif 000005
【図５】
0004736886.tif 000006
【図６】
0004736886.tif 000007
【図７】
0004736886.tif 000008
【図８】
0004736886.tif 000009
【図９】
0004736886.tif 000010